(57)【要約】      （修正有）【課題】マガジン本体を最良の動作環境温度下に置き、高圧流体の気化をより完全にし、その効果を向上させ保持するマガジンの気体加熱構造を提供する。【解決手段】主にマガジン本体１と、マガジン本体内に設けられる少なくとも１つの電力供給装置２と、マガジン本体内に設けられるとともに電力供給装置と電気的に接続された少なくとも１つの加熱ユニットと、マガジン本体内に形成される少なくとも１つの液体流路４と、マガジン本体内に設けられるとともに加熱ユニットと接続された少なくとも１つの熱伝導抑制部品３１と、からなる。熱伝導抑制部品は液体流路の末端に位置する。使用者はマガジン本体をトイガン内に設置でき、電力供給装置により加熱ユニットに電力を供給することで加熱ユニットが熱伝導抑制部品を加熱する。高圧流体は熱伝導抑制部品を通過すると、熱伝導抑制部品の熱エネルギーを迅速に吸収して気化され、トイガンを発射することができる。【選択図】図３
0003214265.tif 000002
【実用新案登録請求の範囲】
【請求項１】
マガジン本体と、少なくとも１つの電力供給装置と、少なくとも１つの加熱ユニットと、少なくとも１つの液体流路と、少なくとも１つの熱伝導抑制部品と、からなるマガジンの気体加熱構造であって、
前記少なくとも１つの電力供給装置は、前記マガジン本体内に設けられ、
前記少なくとも１つの加熱ユニットは、前記マガジン本体内に設けられるとともに、前記電力供給装置と電気的に接続され、  
前記少なくとも１つの液体流路は、前記マガジン本体内に形成され、
前記少なくとも１つの熱伝導抑制部品は、前記マガジン本体内に設けられるとともに、前記加熱ユニットに接続され、前記熱伝導抑制部品は、前記液体流路の末端に位置することを特徴とする、マガジンの気体加熱構造。
【請求項２】
前記加熱ユニットには少なくとも１つの制御ユニットが設けられるとともに、前記熱伝導抑制部品には前記制御ユニットと電気的に接続された少なくとも１つの温度センサー部が設けられ、さらに前記電力供給装置には、少なくとも１つの電力供給部品及び前記電力供給部品と電気的に接続された少なくとも１つの導電部品が備えられており、前記導電部品は、前記制御ユニットと選択的に且つ電気的に接続され、前記電力供給部品は電池であることを特徴とする、請求項１に記載のマガジンの気体加熱構造。
【請求項３】
前記マガジン本体には少なくとも１つの熱遮断部が形成され、前記熱遮断部はプラスチック材質であることを特徴とする、請求項１に記載のマガジンの気体加熱構造。
【請求項４】
前記マガジン本体内には前記液体流路に通じる少なくとも１つの液体収容空間が設けられることを特徴とする、請求項１に記載のマガジンの気体加熱構造。
【請求項５】
前記マガジン本体には少なくとも１つの出気部が形成されることを特徴とする、請求項１に記載のマガジンの気体加熱構造。
【考案の詳細な説明】
【技術分野】
【０００１】
本考案はマガジンの気体加熱構造に関し、特に、マガジン本体内で直接加熱することにより、マガジン本体が最良の動作環境温度下に置かれて、気化がより完全に行われるとともに、その効果が向上または保持される、マガジンの気体加熱構造に関する。
【背景技術】
【０００２】
トイガンの射撃方法は、多くが高圧流体を利用するかまたは電動発射の方法でトイガン内の弾丸を射出するが、通常高圧流体は、加圧ガスまたは圧縮二酸化炭素である。しかしながら、高圧流体が、マガジン内で気化するプロセスにおいて周囲の熱エネルギーを吸収するため、連続して射撃すると、マガジンが冷たくなりすぎて高圧流体の気化が不十分になることで、トイガンが発射しづらくなる。マガジンが冷たくなりすぎる問題を解決するため、台湾特許第Ｍ５４２７６０の「グリップ温度制御装置」がすでに開示されている。その技術内容は、主に、「グリップと、温度制御装置とからなる。グリップ内には、マガジンが取付けられるための収容スペースが形成される。また温度制御装置は収容スペースとグリップ内壁の間に設けられる。さらに、温度制御装置は熱遮断部品と、発熱部品と、熱伝導部品と、制御モジュールとからなり、このうち熱伝導部品は前記収容スペースに面して設けられる。これにより、トイガンの長時間使用によって高圧ガスを含むマガジンの気化反応が低下しつつある時、制御モジュールによって駆動した発熱部品が加熱するとともに、生じた熱エネルギーが熱伝導部品によってマガジンまで伝達される。」である。これにより、マガジンの動作環境温度が維持され、気化がより完全に行われ、さらにその効果が向上または保持される。
【０００３】
しかしながら、上述のグリップ温度制御装置は、使用時に、マガジン外部からマガジンを加熱するため、加熱プロセスにおいて熱エネルギーが外部に流出してしまうことによって、エネルギーを消耗するだけでなく、加熱効率が悪いという問題が存在する。
【先行技術文献】
【特許文献】
【０００４】
【特許文献１】台湾特許第Ｍ５４２７６０号明細書
【考案の概要】
【考案が解決しようとする課題】
【０００５】
本考案の主な目的は、電力供給装置及び加熱ユニットの設計によって、直接マガジン本体内から加熱することで、マガジン本体を最良の動作環境温度下に置くとともに、加熱の效率をさらに高め、省エネ効果を達成することである。
【０００６】
本考案の別の主な目的は、熱伝導抑制部品の設計によって、高圧流体と熱伝導抑制部品が接する表面積を増やすことによって、高圧流体の気化の效率をさらに高めるとともに、さらに気化を完全にすることである。
【０００７】
本考案のさらに別の主な目的は、熱伝導抑制部品を液体流路の末端に設ける設計によって、熱伝導抑制部品の加熱效率をさらに向上させることである。
【課題を解決するための手段】
【０００８】
上述の目的を達成するために、本考案の主な構造は、主にマガジン本体からなる。前記マガジン本体内には、少なくとも１つの電力供給装置と、前記電力供給装置と電気的に接続された少なくとも１つの加熱ユニットが備えられるとともに、前記マガジン本体内には、少なくとも１つの液体流路が形成される。さらに前記マガジン本体内には、少なくとも１つの前記加熱ユニットに接続された熱伝導抑制部品が備えられるとともに、前記熱伝導抑制部品は、前記液体流路の末端に位置する。
【考案の効果】
【０００９】
このように、使用者はマガジン本体をトイガンと組み合わせることができるとともに、電力供給装置によって加熱ユニットに電力を提供することによって、加熱ユニットが熱伝導抑制部品を加熱し、高圧流体が熱伝導抑制部品を通過すると、熱伝導抑制部品と高圧流体が接する面積が増えることで、高圧流体の気化の效率が向上し、マガジンが最良の動作環境温度下に置かれるとともに、高圧流体が液体流路の末端まで到達した時にはすでに気体になっていることによって、熱伝導抑制部品の加熱の效率がさらに向上し、エネルギーの使用においてより省エネが達成される。
【図面の簡単な説明】
【００１０】
【図１】本考案における比較的好ましい実施例の正面図である。
【図２】本考案の比較的好ましい実施例におけるマガジン本体内の一部の構造を示した図である。
【図３】本考案における比較的好ましい実施例の断面図である。
【図４】本考案における比較的好ましい実施例の実施図である。
【図５】本考案における比較的好ましい実施例の使用状態参考図である。
【考案を実施するための形態】
【００１１】
上述の目的と効果を達成するために本考案が採用する技術手法と構造について、理解の手助けとなるよう、以下で実施例を示しつつ特徴と効果を詳述する。
【００１２】
図１から図３を参照する。図１から図３は、本考案における比較的好ましい実施例の正面図から断面図である。図から明らかな通り、本考案は、マガジン本体１と、少なくとも１つの電力供給装置２と、少なくとも１つの加熱ユニット３と、少なくとも１つの液体流路４と、からなる。
【００１３】
前記マガジン本体１には、少なくとも１つの熱遮断部１１が形成されるとともに、前記熱遮断部１１はプラスチック材質であり、前記マガジン本体１には少なくとも１つの出気部１２が形成される。
【００１４】
少なくとも１つの電力供給装置２は前記マガジン本体１内に設けられ、前記電力供給装置２は、少なくとも１つの電力供給部品２１と、前記電力供給部品２１と電気的に接続された少なくとも１つの導電部品２２を備えるとともに、前記導電部品２２は、前記制御ユニット３２と選択的に且つ電気的に接続される。前記電力供給部品２１は、電池である。
【００１５】
少なくとも１つの加熱ユニット３は、前記マガジン本体１内に設けられるとともに、前記電力供給装置２と電気的に接続される。前記加熱ユニット３には少なくとも１つの制御ユニット３２が設けられるとともに、前記マガジン本体１内には、前記加熱ユニット３に接続された少なくとも１つの熱伝導抑制部品３１が設けられ、前記熱伝導抑制部品３１は、前記液体流路４の末端に位置する。さらに前記熱伝導抑制部品３１には、前記制御ユニット３２と電気的に接続された少なくとも１つの温度センサー部３３が設けられる。
【００１６】
少なくとも１つの液体流路４は、前記マガジン本体１内に形成されるとともに、前記熱伝導抑制部品３１に通じており、前記マガジン本体１内には、前記液体流路４に通じる少なくとも１つの液体収容空間４１が形成される。
【００１７】
同時に図１から図５を組み合わせて参照する。図１から図５は、本考案における比較的好ましい実施例の正面図から使用状態参考図である。図から明らかな通り、マガジン本体１はトイガン５に取り付けることができ、前記トイガン５はガスガンであるとともに、前記マガジン本体１内には、高圧流体を収容できる液体収容空間４１が備えられる。高圧流体は液体ガスまたは液体炭酸のうちのどちらかであるとともに、マガジン本体１内には電力供給装置２が備えられる。前記電力供給装置２は、電力供給部品２１及び導電部品２２を備え、前記電力供給部品２１は電池であるとともに、前記導電部品２２は金属導体であり、電力供給部品２１の電力を導電部品２２によって制御ユニット３２にまで伝導する。本実施例の制御ユニット３２は回路基板を例とし、前記制御ユニット３２は、加熱ユニット３が熱伝導抑制部品３１を加熱するのを制御することができる。前記加熱ユニット３は加熱金属片であり、電力を熱エネルギーに変換する。使用者がトイガン５を発射しようとすると、液体収容空間４１内の高圧流体が液体流路４を通って熱伝導抑制部品３１に入り、熱伝導抑制部品３１により高圧流体と接する面積を増やすことができることで、高圧流体が熱量を吸収し、高圧流体の気化效率が向上するとともに、高圧流体は液体流路４の末端にまで到達した時すでに気体になっていることで、熱伝導抑制部品３１における加熱の效率がさらに高まり、高圧流体の気化がより完全に行われる。気化後の気体は、マガジン本体１上の出気部１２を通ってマガジン本体１から排出される。気体がトイガン５内に入ると、トイガン５内の弾丸を押すことで弾丸が発射される状態にする。さらに、熱伝導抑制部品３１には、温度センサー部３３が備えられる。前記温度センサー部３３は温度計であり、温度センサー部３３によって熱伝導抑制部品３１の温度を測定するとともに、温度センサー部３３は制御ユニット３２と電気的に接続されており、熱伝導抑制部品３１が加熱ユニット３により加熱され続けて、熱伝導抑制部品３１の温度が高くなりすぎると、制御ユニット３２が加熱ユニット３と電力供給装置２の間に開回路を形成することによって、加熱ユニット３が熱伝導抑制部品３１を加熱し続けるのを停止させる。反対にトイガン５が連続して発射されることでマガジン本体１内の温度が低くなりすぎると、制御ユニット３２は加熱ユニット３と電力供給装置２の間に経路を形成することによって、加熱ユニット３が熱伝導抑制部品３１を加熱し続けるようにし、マガジン本体１が最良の動作環境温度下に置かれるようにする。さらに、マガジン本体１上の熱遮断部１１はプラスチック材質であり、マガジン本体１内の熱エネルギーを隔離できることで、熱エネルギーが外部にまで伝導されるのを防ぎ、トイガン５の温度が上がりすぎで使用者がやけどをするのを防ぐことができ、さらに省エネの効果を備える。
【符号の説明】
【００１８】
１    マガジン本体
１１  熱遮断部
１２  出気部
２    電力供給装置
２１  電力供給部品
２２  導電部品
３    加熱ユニット
３１  熱伝導抑制部品
３２  制御ユニット
３３  温度センサー部
４    液体流路
４１  液体収容空間
５    トイガン
【図１】
0003214265.tif 000003
【図２】
0003214265.tif 000004
【図３】
0003214265.tif 000005
【図４】
0003214265.tif 000006
【図５】
0003214265.tif 000007